(57)【要約】【課題】貯氷部に貯留された規定の大きさ氷を所定の分量に切り分けて吐出することが可能なアイス供給装置を提供する。【解決手段】氷塊を貯留する有底円筒体５０の底部に回転自在に配設されるとともにモータＭにより駆動され、かつ、周方向に等間隔に設けられた複数の枡６３を有するディスク６、前記ディスク６の上部に位置して前記排出口５０ａを覆う仕切部材７、前記ディスク６の回転により前記排出口５０ａに案内される枡６３に収容された氷の上方領域に規定の大きさいの氷塊が一個分だけ積み重ねられることを許容するとともに枡６３に収納された氷の上方領域に規定の大きさの氷塊が一個分を超えて積み重ねられるのを阻止するゲート部材７０を備え、枡６３の容器内に収容された氷の上方領域に規定の大きさの氷塊が一個分だけ山盛りとなる態様で積み重ねられた分量を定量として供給する。【選択図】図３
2015175546.tif 000002
【特許請求の範囲】
【請求項１】
規定の大きさの氷塊を貯留する有底円筒体の底部に開口された排出口を有する貯氷部と、前記有底円筒体の底部に回転自在に配設されるとともにモータにより駆動され、かつ、回転中心から前記排出口と同一半径上であって周方向に等間隔に設けられとともに上下に貫通した複数の枡を有するディスクと、前記ディスクの上部に位置して前記排出口と有底円筒体の内部とが連通するのを阻止する仕切部材と、前記ディスクの回転により前記排出口に案内される枡に収容された氷の上方領域に規定の大きさいの氷塊が一個分だけ積み重ねられることを許容するとともに枡に収納された氷の上方領域に規定の大きさの氷塊が一個分を超えて積み重ねられるのを阻止する切り分け手段とを備えたことを特徴とするアイス供給装置。
【請求項２】
請求項１記載のアイス供給装置において、切り分け手段は、ディスクの回転により排出口に向けて案内される枡の移動軌跡を横切るように配置され、かつ、前記枡の移動軌跡と交差する箇所に枡に収納された氷の上方領域に規定の大きさの氷塊が一個分だけ積み重ねられるのを許容する開口を備えたゲート部材からなることを特徴とするアイス供給装置。
【請求項３】
請求項１記載のアイス供給装置において、貯氷部は冷凍装置により冷却されてなることを特徴とするアイス供給装置。
【発明の詳細な説明】
【技術分野】
【０００１】
この発明は、貯氷部に貯留された氷を所定の分量に切り分けて排出口から吐出するアイス供給装置に関する。
【背景技術】
【０００２】
この種のアイス供給装置を備えたものとして氷ディスペンサが知られている。この氷ディスペンサは、本体内部に規定された大きさの氷塊を貯留する貯氷部を有し、本体に設けたテーブルにカップが置かれた後に排出ボタンが操作されると、アイス供給装置により貯氷部に貯留された氷塊を所定量に切り分けたうえで排出口を介してカップに排出するものである。この種の従来のアイス供給装置として、有底円筒状の貯氷部の内部に回転羽根状のディスクを設け、回転羽根により区画された空間を、氷塊を収容する収容部とするとともにディスクの回転により回転羽根（収容部）を移動させて貯留部の底部に設けた排出口に案内する一方、ディスクの上部に配設されて排出口に向けて移動する収容部から上方に突出した氷塊を切削するカッターを設け、当該収容部内に収容された氷の量を所定量に調整したうえで排出口から吐出させるようにしたものが知られている（例えば、特許文献１）。
【先行技術文献】
【特許文献】
【０００３】
【特許文献１】特開２０１３−１１７３５２号公報
【発明の概要】
【発明が解決しようとする課題】
【０００４】
前述した特許文献１に開示された発明によれば、ディスクの回転羽根により区画された空間を収容部して氷塊を収納し、かつ、当該収容部より上方に突出した氷塊をカッターにより切削して収容部内に収容された氷の量を所定量に調整する、つまり、ディスクの回転羽根により区画された氷塊の収容部を枡として構成することにより、排出口から吐出される氷の分量のばらつきを抑えることができる点で優れている。ところで、枡とは、粒状などの物の一定量をはかる円筒形などの容器であり、容器（枡）の容積により一定量（分量）が定められ、容器（枡）に入り得る容積を超える場合にはそれを払うことによって分量を一定にするというものであり、特許文献１に開示された発明も、前記枡の定義を踏襲して、枡に入り得る容積を超える氷塊についてはカッターにより切削するように構成されている。このように、枡に入り得る容積を超える氷塊について切削すると、切削されて枡内に残った氷が規定外の大きさの氷塊として吐出されてしまうこととなる。また、カッターにより切削されて貯氷部に残った氷片については貯氷部の底部にメッシュを敷設すれば排除できるもののカッターの周辺には氷塊が貯留されているので、前記氷片が他の氷塊に結合して規定外の大きさの氷塊が生じてしまうおそれがある。
【０００５】
そこで、本発明は上記の点に鑑みなされたものであり、その目的は前記課題を解決し、貯氷部に貯留された規定の大きさ氷を所定の分量に切り分けて吐出することが可能なアイス供給装置を提供することにある。
【課題を解決するための手段】
【０００６】
上記目的を達成するため発明者らは種々検討した結果、枡に収容される分量を枡に入り得る容積に定めることなく、枡に収容された氷の上方領域に規定の大きさの氷塊が一個分だけ山盛りとなる態様で枡に収容される分量を定量とし、枡に収容された氷の上方領域に規定の大きさの氷塊が一個分だけ積み重ねられることを許容し、枡に収納された氷の上方領域に規定の大きさの氷塊が一個分を超えて積み重ねられるのを阻止する切り分け手段を設ければ、枡の機能を維持しつつ収容される氷塊を切削する必要のないことを見出した。
【０００７】
そのため、請求項１に係る発明は、規定の大きさの氷塊を貯留する有底円筒体の底部に開口された排出口を有する貯氷部と、前記有底円筒体の底部に回転自在に配設されるとともにモータにより駆動され、かつ、回転中心から前記排出口と同一半径上であって周方向に等間隔に設けられとともに上下に貫通した複数の枡を有するディスクと、前記ディスクの上部に位置して前記排出口と有底円筒体の内部とが連通するのを阻止する仕切部材と、前記ディスクの回転により前記排出口に案内される枡に収容された氷の上方領域に規定の大きさいの氷塊が一個分だけ積み重ねられることを許容するとともに枡に収納された氷の上方領域に規定の大きさの氷塊が一個分を超えて積み重ねられるのを阻止する切り分け手段とを備えたことを特徴とする。
【０００８】
また、請求項２に係る発明は、請求項１記載のアイス供給装置において、切り分け手段は、ディスクの回転により排出口に向けて案内される枡の移動軌跡を横切るように配置され、かつ、前記枡の移動軌跡と交差する箇所に枡に収納された氷の上方領域に規定の大きさの氷塊が一個分だけ積み重ねられるのを許容する開口を備えたゲート部材からなることを特徴とする。
【０００９】
また、請求項３に係る発明は、請求項１記載のアイス供給装置において、貯氷部は冷凍装置により冷却されてなることを特徴とする。
【発明の効果】
【００１０】
本発明の請求項１に係る発明によれば、規定の大きさの氷塊を貯留する有底円筒体の底部に開口された排出口を有する貯氷部と、前記有底円筒体の底部に回転自在に配設されるとともにモータにより駆動され、かつ、回転中心から前記排出口と同一半径上であって周方向に等間隔に設けられとともに上下に貫通した複数の枡を有するディスクと、前記ディスクの上部に位置して前記排出口と有底円筒体の内部とが連通するのを阻止する仕切部材と、前記ディスクの回転により前記排出口に案内される枡に収容された氷の上方領域に規定の大きさの氷塊が一個分だけ積み重ねられることを許容するとともに枡に収納された氷の上方領域に規定の大きさの氷塊が一個分を超えて積み重ねられるのを阻止する切り分け手段とを備えたことにより、枡に収納された氷の上方領域に規定の大きさの氷塊が一個分を超えて積み重ねられた氷塊が枡の壁面などにより移動を阻止されることがないので、超過分の氷塊は切り分け手段により通過が阻止されても有底円筒体の内部に移動することができる。したがって、超過分の氷塊が枡に収容された氷の上方領域に積み重ねられるのを阻止しても氷塊が切削されることがないとともに枡の容器内に収容された氷の上方領域に規定の大きさの氷塊が一個分だけ山盛りとなる態様で積み重ねられた分量を定量とすることにより定量の氷を供給することができるという効果を奏するものである。
【００１１】
また、本発明の請求項２に係る発明によれば、請求項１に記載のアイス供給装置において、切り分け手段は、ディスクの回転により排出口に向けて案内される枡の移動軌跡を横切るように配置され、かつ、前記枡の移動軌跡と交差する箇所に枡に収納された氷の上方領域に規定の大きさの氷塊が一個分だけ積み重ねられるのを許容する開口を備えたゲート部材からなることにより、簡単な構成により氷塊を切削することなく枡に収容される分量を超える超過分の氷塊を切り分けることが可能となる。
【００１２】
また、本発明の請求項３に係る発明によれば、請求項１に記載のアイス供給装置において、貯氷部は冷凍装置により冷却されてなることにより、貯氷部に貯留された氷塊が溶けるのを防止して氷塊の固形状態を安定して維持することができる。
【図面の簡単な説明】
【００１３】
【図１】本発明の実施の形態に係るアイス供給装置の斜視図である。
【図２】図１のアイス供給装置から背板を取り外した状態の背面図である。
【図３】図２のアイス供給装置の主要部を示す断面図である。
【図４】図３のディスク、仕切部材およびゲート部材を示し、（ａ）はその斜視図、（ｂ）は（ａ）の平面図、（ｃ）は（ｂ）のＢ−Ｂ断面図である。
【発明を実施するための形態】
【００１４】
以下、本発明の実施の形態に係るアイス供給装置について添付図面を参照して説明する。
【００１５】
図１において、１はキャビネット本体、２は蓋体、３は扉である。本体キャビネット１は、鋼板製の左右側板１ａ，１ｂ、背板１ｃ、前面板１ｄおよび底面をなす基台1ｅとからなり、左右側板１ａ，１ｂ、背板１ｃ、前面板１ｄのそれぞれの当接部に設けたフランジをそれぞれ重ね合わせてねじ止めにより固着するとともに左右側板１ａ，１ｂと背板１ｃの下端を矩形状の基台１ｃにそれぞれねじ止めしてなり、上面と前面の一部が開口した箱形に形成されている。前記基台１ｃの下部のそれぞれの隅部にはキャビネット本体１を水平に保つように調整可能な脚４が設けられている。前記キャビネット本体１の内部には、後述する氷塊を貯留する貯氷部５、貯氷部５を冷凍する冷凍装置１０などが装着されている。
【００１６】
前記蓋体２は、前記キャビネット本体１の上面の開口を閉塞するものであり、後述する貯氷部５の外箱５１に固着された固定部２１と、この固定部２１にヒンジ２３により開閉自在に取付けられた蓋部２２とからなる。前記固定部２１および蓋部２２は、それぞれ鋼板製の外郭の内部にポリウレタンの原液を注入して発泡成形した断熱パネルとして形成されている。
【００１７】
前記扉３は、キャビネット本体１の前面の開口を閉塞するものであり、キャビネット本体１の一方の側板１ａにヒンジ（不図示）により開閉自在に取り付けられたものである。前記扉３の上部領域には排出ボタン，後述するシャッタ９を開けるシャッタ解放ボタンなどを備えた操作表示部３１が設けられている。また、扉３の略中央部には取出口３２が形成され、この取出口３２を開閉する取出口扉３３が設けられている。
【００１８】
前記キャビネット本体１の内部における上部領域には貯氷部５が配設され、下部領域には冷凍装置１０を構成するコンデンシングユニットとしての圧縮機１０ａ、ファン付きの凝縮器１０ｂ，１０ｂが配設されている。前記貯氷部５は、有底円筒状に形成されたステンレス製になるとともに規定の大きさの氷塊を貯留する有底円筒体５０を備え、この有底円筒体５０を囲繞して外箱５１が設けられている。外箱５１は、鉄板製になる周壁５１ａと天井壁５１ｂと底壁５１ｃとをそれぞれねじ止めにより固着してなり、天井壁５１ｂには有底円筒体５０の上部開口に対応して開口６２０が設けられている。前記有底円筒体５０と外箱５１との間には、後述するシールド６５とシュート８を配設したうえでポリウレタンの原液を注入して発泡成形した断熱材が設けられて断熱構造として形成される（図では、各部材の構成を分かり易くするために断熱材については削除している）。前記貯氷部５は、前記外箱５１をキャビネット本体１の基台1ｅに固着されたコ字状の台座（不図示）に取付けることによりキャビネット本体１の内部に装着される。そして、キャビネット本体１の内部に装着された外箱５１の上に蓋体２が取付けられる。なお、図２に示すように、外箱５１の天井壁５１ｂには磁石Ｍｇが埋設されており、蓋体２（蓋部２２）を閉じた際に蓋部２２が磁石Ｍｇに吸引されて天井壁５１ｂに密着するように構成されている。なお、有底円筒体５０の底部には排出口５０ａが穿孔されるとともに外箱５１の底壁５１ｃには吐出口５１ｄが穿孔されているものである。
【００１９】
前記キャビネット本体１の内部における下部領域に配設された冷凍装置１０を構成する圧縮機１０ａ、ファン付きの凝縮器１０ｂ，１０ｂは、キャビネット本体１の基台１ｅに固着して取付けられる。そして、圧縮機１０ａの出口管路と直接接続された凝縮器１０ｂ，１０ｂの入口管路との間が配管接続される一方、直接接続された凝縮器１０ｂ，１０ｂの出口管路と圧縮機１０ａの入口管路との間に貯氷部５における有底円筒体５０に巻回された蒸発管路１０ｃとが配管接続されている。なお、凝縮器８２，２８の出口管路と蒸発管路１０ｃとの間には不図示の減圧弁が設けられているものである。
【００２０】
さて、有底円筒体５０の底部には、図３に示すように、円板部６ａと円筒部６ｂからなるディスク６が設けられている。このディスク６には、円板部６ａの中心を通る中心軸６１が固着されている。前記中心軸６１、は有底円筒体５０の底部および外箱５１の底壁５１ｃを貫通して延在している。前記ディスク６の中心軸６１の下部は、カップリングＣＰを介してモータＭの出力軸に連結された減速歯車機構Ｍ１の出力軸と結合されている。また、前記中心軸６１の上部には、攪拌棒６６を有する攪拌部材６７が連結されている。前記有底円筒体５０の底部と外箱５１の底壁５１ｃを貫通する中心軸６１の周囲は、有底円筒体５０の底部と外箱５１の底壁５１ｃとに跨って配設された円筒状のシールド６５に囲繞されている。シールド８の内壁と中心軸６１の外壁との間が不図示のＯリングによりシールされているものである。
【００２１】
前記ディスク６の円板部６ａには、図４に示すように、周方向に等間隔に収容孔６２が複数、この実施の形態では６０度の間隔で６個穿孔され、各収容孔６２はディスク６の中心軸６１から同一半径となる円上に中心を有している。前記複数の収容孔６２は、前記有底円筒体５０の底部に穿孔された排出口５０ａと同一半径上に位置するものであり、排出口５０ａの直径と同一若しくはその直径よりも小さく形成されている。前記複数の収容孔６２には円筒状の器具からなるとともに有底円筒体５０に貯留された氷を収容する枡６３が配設されている。この枡６３は、円柱状の上端が収容孔６２の周縁に嵌着され、円柱状の下端が有底円筒体５０の底部との間に僅かの隙間を残して接近する位置まで延在している。また、前記ディスク６の円板部６ａには、隣接する収容孔６２の間に上方に膨出した膨出部６４が形成されている。この膨出部６４は、後述するゲート部材７０の開口７０ａより一回り小さく、開口７０ａの上端までの寸法が規定の大きさの氷塊一個分より小さくなるように定められている。
【００２２】
また、有底円筒体５０の底部に設けたディスク６の上部側であって、有底円筒体５０の底部に穿孔して設けられた排出口５０ａの上部領域に相当する部位に三日月状の仕切部材７が配設されている。この仕切部材７は、前記排出口５０ａとディスク６に設けた枡６３とが上下方向に重なった場合に当該枡６３を介して前記排出口５０ａが有底円筒体５０の内部と連通するのを防止するものである。この仕切部材７の大きさは、前記排出口５０ａとディスク６に設けた枡６３とが上下方向に重なる場合に当該枡６３を介して有底円筒体５０の内部が連通するのを防止する態様で、少なくとも排出口５０ａの上部領域を覆うとともに円弧状の周縁の両端部を結ぶ線分がディスク６の直径よりも短かい、つまり、ディスク６の半円よりも小さく形成されているものである。前記仕切部材７は、円弧状の周縁の３か所に形成した取付片７１，７２，７３を有底円筒体５０の周壁にねじにより固定され、ディスク６の中心軸６１側が低くなるように配設されている。
【００２３】
前記仕切部材７における三日月状の線分に相当する箇所には折り曲げにより下方（ディスク６の円板部６ａ側）に延在するゲート部材７０が設けられている。このゲート部材７０が請求項１に記載した切り分け手段を構成する。前記ゲート部材７０は、ディスク６の回転（図４の（ａ）に示す矢印の方向）により移動する枡６３がゲート部材７の下方に潜り込む側（以下、入口側ともいう）であって移動する枡６３と上下方向に重なる位置に凹状の開口７０ａが形成されている。この開口７０ａの長さは、枡６３の径よりも小さく定められるとともに深さは、ディスク６の円板部６ａからの寸法Ｌ（図４の（ｃ）参照）が氷塊の最大径（氷塊が六面体からなる場合には対角線の長さ）よりも僅かに大きい寸法に定められている。また、移動する枡６３がゲート部材７０の下方から出て来る側（以下、出口側ともいう）には、中央側を残して大きく切り欠いた切欠７０ｂが形成されている。なお、ゲート部材７０の下端は、ディスク６の円板部６ａとの間に氷塊の寸法よりも小さい隙間を有しているものである。
【００２４】
図３に戻り、有底円筒体５０の底部に穿孔された排出口５０ａと外箱５１の底壁５１ｃに穿孔された吐出口５１ｄとの間には円筒状のシュート８が設けられている。このシュート８はステンレス製になり、上端が有底円筒体５０の排出口５０ａの周縁に形成されたフランジの外周壁に固着される一方、下端が外箱５１の吐出口５１ｄに嵌着されたゴムパッキンＰの内周壁に密着するように取付けられている。なお、前記シュート８は、有底円筒体５０と外箱５１との間にポリウレタンの原液を注入して発泡成形して形成される断熱材により強固に固定されるものである。
【００２５】
前記外箱５１の吐出口５１ｄの部位には、当該吐出口５１ｄを開閉する肉厚のシャッタ部材９が設けられている。このシャッタ部材９は、不図示のモータにより軸９１を中心に白抜き矢印の方向に回動し、吐出口５１ｄを閉塞するように閉じた位置（図３の状態）と吐出口５１ｄを開いて軸９１を支点に垂下した位置との間を移動するように取付けられている。また、このシャッタ部材９は、内部に断熱材（ポリウレタン樹脂）が充填されて断熱構造に形成され、吐出口５１ｄを閉塞するように閉じた場合にゴムパッキンＰに密着するように構成されている。なお、図３おいて、Ｓは扉３（図１参照）に形成した取出口３２の内部に敷設されたステージであり、ＣはステージＳに置かれたカップＣを示している。前記ステージＳには水抜き孔が多数穿孔されている。
【００２６】
かかる構成のアイス供給装置の動作は次のとおりである。まず、アイス供給装置の電源スイッチをオンにすると冷凍装置１０が運転を開始する。冷凍装置１０の運転開始により圧縮機１０ａがオンしてガス冷媒を圧縮して高温高圧のガス冷媒とし、前記高温高圧のガス冷媒を凝縮器１０ｂ，１０ｂで冷却して高温高圧の液冷媒とし、該高温高圧の液冷媒を減圧弁により一定の圧力とされた液冷媒が有底円筒体５０の周囲に巻回された蒸発管路１０ｃを通過する際、周囲から熱を奪って蒸発してガス冷媒となる過程で有底円筒体５０を冷却する。前記冷凍装置１０は、有底円筒体５０を所定の温度（例えば、零下１０度）となるように冷却した後、有底円筒体５０が所定の温度を維持するように運転制御される。冷凍装置１０の運転から所定時間後、つまり、有底円筒体５０が所定の温度に冷却された後、図１に示した蓋２を開けて有底円筒体５０に氷塊を投入する。有底円筒体５０に氷塊が投入されるとディスク６に設けた枡６３に氷が収容される。
【００２７】
ここで、このアイス供給装置の貯氷部５に貯留された氷塊の残量は、不図示の制御により、有底円筒体５に投入された満杯量から排出した量を減算することにより検出するように構成され、満杯量に相当する数値にプリセットされるカウンタから排出ボタンが操作される都度、「１」を減算して得られる。前記カウンタのプリセットは、有底円筒体５０が満杯になるように氷塊を投入した後、リセットスイッチを操作することに行われる。このため、前記有底円筒体５０の内壁には満杯量を指す指標（水平方向に延在する線や「ここまで」などの文字）が付されている。
【００２８】
そこで、前記指標に基づいて前記有底円筒体５０に氷塊を投入したうえでリセットスイッチを操作する。これにより前記カウンタに所定の数値がプリセットされて氷塊の供給が可能となり、扉３に設けた操作表示部３１のシャッタ解放ボタンが操作可能となるものである。前記操作表示部３１のシャッタ解放ボタンが操作されるとシャッタ部材９を駆動するモータが駆動される。これによりシャッタ部材９が外箱５１に設けた吐出口５ｄを解放するので、取出口扉３３を開けてステージＳにカップＣを置いたうえで前記操作表示部３１の排出ボタンを操作して氷の供給を待つ。
【００２９】
前記排出ボタンが操作されるとモータＭが起動して減速歯車機構Ｍ１を介してディスク６を、図４の（ａ）の矢印の方向に６０度回転させる。前記ディスク６の回転とともに攪拌棒６３を有する攪拌部材６４も回転するので有底円筒体５０に貯留された氷も回転・攪拌される。ディスク６の回転により枡６３がゲート部材７０の入口側に差し掛かると、ゲート部材７０の板面に衝突した氷塊は、ゲート部材７０が枡６３の移動方向に対して斜め（ゲート部材７０の中央側が鈍角）に配置されていることによって、ゲート部材７０の板面に沿って中央側に移動する。これに対して、ゲート部材７０の入口側に設けた凹状の開口７０ａの部位に位置する氷塊は、当該開口７０ａがディスク６の円板部６ａからの寸法Ｌ（図４の（ｃ）参照）が氷塊の最大径（氷塊が六面体からなる場合には対角線の長さ）よりも僅かに大きい寸法に定められていることから、枡６３がゲート部材７０を通過する際には枡６３内に収容された氷の上方に少なくとも一個分の氷が山盛りに積み重ねられた状態となって前記開口７０ａを通過して仕切部材７の下方に潜り込む一方、枡６３の上方に一個分を超える氷塊については、枡６３の壁面などにより移動が阻止されることがないので、ゲート部材７０を乗り越えて仕切部材７の上方若しくはゲート部材７０の中央側に逃がされる。したがって、氷塊の移動が阻止されて切削されることがない。また、隣接する枡６３（収容孔６２）の間に形成された上方に膨出した膨出部６４の近傍に位置する氷塊は、当該膨出部６４がゲート部材７０の開口７０ａを通過する際、前記膨出部６４によって開口７０ａの空間が狭められて氷塊の通過が阻止され、ゲート部材７０に沿って逃がされる。これにより、仕切部材７の下方に潜り込んだ枡６３と後続の枡６３との間には氷が存在せず、仕切部材７の下方に潜り込んだ枡６３の上方にのみ氷が山盛りとなる態様で枡６３に収容された状態となる。この発明では、前述したように枡６３の上方に山盛りに収容された氷の分量を定量としたものである。
【００３０】
ディスク６の回転により仕切部材７の下方に潜り込んだ枡６３が有底円筒体５０の底部に穿孔した排出口５０ａと上下方向に完全に重なり合う位置（図４の（ｂ）に示す状態）まで移動するとモータＭ（ディスク６）が停止する。したがって、枡６３に収容された氷は、有底円筒体５０の底部に穿孔した排出口５０ａからシュート８内に排出されるとともに外箱５１に設けた吐出口５ｄを介してカップＣ内に放出される。そして、カップＣがステージＳから取り出されるとシャッタ部材９を駆動するモータを逆転駆動してシャッタ部材９により吐出口５ｄを閉塞して氷の搬出動作を終了する。前述した氷の排出の都度、制御部に設けたカウンタから「１」を減算し、前記カウンタが規定値となると氷の供給を停止したうえでアラームを発して氷塊の投入を促す。
【００３１】
なお、アイス供給装置の設置当初においては、ディスク６に設けた枡６３の一部が仕切部材７に隠れているので、有底円筒体５０に投入された氷塊が枡６３に十分に収容されないおそれがある。そこで、設置当初においては、氷の排出動作を複数回実行させるものである。なお、アイス供給装置の電源投入時にモータＭを起動して、枡６３の一つが有底円筒体５０の排出口５０ａと上下方向に重ならない位置（図４の（ｂ）に示す位置から時計方向若しくは反時計方向に３０度だけ回転させた位置）に回転させた状態とし、氷の排出動作の初回のみ、ディスク６を９０度回転させるように制御することもできるものである。
【００３２】
前述したように、この実施の形態に係るアイス供給装置によれば、規定の大きさの氷塊を貯留する有底円筒体５０の底部に開口された排出口５０ａを有する貯氷部５と、前記有底円筒体５０の底部に回転自在に配設されるとともにモータＭにより駆動され、かつ、回転中心から前記排出口５０ａと同一半径上であって周方向に等間隔に設けられとともに上下に貫通した複数の枡６３を有するディスク６と、前記ディスク６の上部に位置して前記排出口５０ａと有底円筒体５０の内部とが連通するのを阻止する仕切部材７と、前記ディスク６の回転により前記排出口５０ａに案内される枡６３に収容された氷の上方領域に規定の大きさいの氷塊が一個分だけ積み重ねられることを許容するとともに枡６３に収納された氷の上方領域に規定の大きさの氷塊が一個分を超えて積み重ねられるのを阻止する切り分け手段（ゲート部材７０）とを備えたことにより、枡６３に収納された氷の上方領域に規定の大きさの氷塊が一個分を超えて積み重ねられた氷塊が枡６３の壁面などにより移動を阻止されることがないので、超過分の氷塊は切り分け手段（ゲート手段７０）により通過が阻止されても有底円筒体の内部に移動することができる。したがって、超過分の氷塊が枡６３に収容された氷の上方領域に積み重ねられるのを阻止しても氷塊が切削されることがないとともに枡６３の容器内に収容された氷の上方領域に規定の大きさの氷塊が一個分だけ山盛りとなる態様で積み重ねられた分量を定量とすることにより定量の氷を供給することができるという効果を奏するものである。
【００３３】
なお、前述した実施の形態では、ゲート部材７０が仕切部材７に一体に形成されたものについて説明したが、仕切部材７とは別個の部材として形成することもでき、また、ゲート部材７０は実施の形態に記載した固定式のものに加えてシャッタなど可動式とすることもできるものであり、実施の形態の構成に限定されるものではない。
【符号の説明】
【００３４】
１…キャビネット本体、２…蓋体、３…扉、５…貯氷部、６…ディスク、７…仕切部材、８…シュート、９…シャッタ部材、１０…冷凍装置、５０…有底円筒体、５０ａ…排出口、５１ｄ…吐出口、６２…収容孔、６３…枡、７０…ゲート部材、７０ａ…開口、Ｍ…モータ。
【図１】
2015175546.tif 000003
【図２】
2015175546.tif 000004
【図３】
2015175546.tif 000005
【図４】
2015175546.tif 000006